(57)【要約】【課題】河川堤防や山林の法面の地表強化や景観美化の公園緑化において、芝生による緑化が広く行われるが、種子の流亡等を防ぐため植生シートによる施工が採用される。しかし種子等がシート内で移動して一端に集まり種子がムラに発芽するため地表全面を均等に覆うように生育するのに相当期間を要する。均等に蒔かれた種子等が移動せず、灌水や雨による流失を防ぎムラなく発芽して早期に地表面を覆うよう生育の促進を図ると同時に自然環境の保護に配慮した植生シートを実現する。【解決手段】基材に種子等を均等に散布し被覆材で覆いドット状の接着により二層のシートを貼り合せ種子等を定着固定する。ドット状の接着は同時に非接着部分を形成し通気、透水性を確保すると共に、根や芽が伸びる隙間を作り成長を阻害しない生育環境を有した植生シートとする。又、生分解性不織布の基材と水溶解性紙の被覆材により自然環境に配慮した植生シートとする。【選択図】図１
2008253244.tif 000002
【特許請求の範囲】
【請求項１】
基材と被覆材の間に種子、又は、種子に加え肥料、保水剤、等の種子生育剤を挟み込み二層のシートをドット状の接着により種子等を固定して成る植生シート。
【請求項２】
生分解性不織布を基材として被覆材が水溶解性紙で成ることを特徴とする上記、請求項１、の植生シート。
【請求項３】
保温、保水、のための保護材を積層して成る上記、請求項１、及び、請求項２の植生シート。
【発明の詳細な説明】
【技術分野】
【０００１】本発明は種子、又は、種子に加え肥料、保水剤、等の種子生育剤（以下、本発明では種子及び生育剤を含めて種子等と言う）を二層のシートで挟み、種子等がシート内で移動し一端に固まるのを防止し、万遍なく均等に発芽、及び生育を促進するための植生シートに関する。
【技術背景】
【０００２】従来の植生シートは主に芝生用で、二層のシート内に種子等を散布して、セル状（一辺の長さ３０ｍｍ、幅５ｍｍ、くらい）で二層のシートを貼り合わせ、シート内に挟み込む方法が用いられていた。しかし、万遍なく均等に散布された種子等はシートに固定されていないので、セル内を移動し一端に固まり均等な、発芽、及び、生育ができない。例えば、河川堤防や山林の急勾配法面の地表強化のため、芝生の植生シートが広く使われるが、芝生が固まりムラな状態で発芽し、万遍なく地表全面を覆い育つまで相当な期間を要する等の欠点があった。
【発明の開示】
【発明が解決しようとする課題】
【０００３】しかしながら、種子は微小で極めて軽く、播種から発芽して根付が安定するまでは水に浮き、風に飛ばされ、土と共に容易に流亡してしまう。したがって、こうした流亡を防止するため植生シートを用いるが、種子を均等に蒔き、且つ固定する必要がある。しかし種子の生育には通気、及び、透水、等の生育環境が不可欠であり、本発明はこうした課題を解決するために、種子等を均等に蒔かれた状態で発芽、成長して万丈な根付を均等に万遍なく短期間に生育する植生シートを作る。
【課題を解決する手段】
【０００４】本発明は上記課題を達成するためになされたものであり、請求項１では基材に均等に蒔かれた種子等を被覆材で覆いドット状に接着して固定する。又、請求項２、は生分解性不織布を基材として水溶解性紙を被覆材として成りより強度が強く、しかも発芽生育後自然に戻り環境を破壊しない植生シートをつくる。請求項３、は本発明の植生シートに保温、保水、のための保護材を積層し種子の生育を更に促進する植生シートを実現する。
【発明の効果】
【０００５】本発明は上述の構成により、次のような著大な効果を奏する。請求項１では基材に散布した種子等は被覆材で覆いドット状に接着され固定される。したがって、シート内の移動がなく運搬や施工においても一端に固まることなく均等に発芽され自然な景観のもとで種子の流失もなく均等に地面を早期に覆い地表面強化ができる。
【０００６】請求項２、は生分解性不織布を基材として水溶解性紙を被覆材として成る。不織布は一般的に紙に比べ強度が強い。植生シートは地表にＵピン、アンカーピン等で固定する施工方法が採用されるが強度が強ければ風や雨、等による破損の心配がない。又、生分解性不織布は施工後、芝生等の根付が終わり暫らく経過後自然に戻り自然環境にも優れている。又、被覆材としての水溶解性紙は施工後の灌水や雨により自然に水に溶け滅失し自然環境を破壊しない。
【０００７】請求項３、は上記、請求項１、及び、請求項２、の植生シートに保水、保温のための保護材を積層した。これにより灌水の手間を減らすことができ、又、保温、保水により種子の発芽及び生育を促進し短期間に芝生等が地面を覆い成長させることができる。
【発明を実施するための最良の形態】
【０００８】以下、実施の形態を図面に基づき、本発明を詳説する。図１は請求項１、の植生シートの構造を示す断面図である。この植生シートは長尺の帯状（巻取り）、又は、平判（枚葉）であり、そして図１で示すように基材１と被覆材３の二層のシートの間に種子等２を挟み込み、熱融解性接着樹脂４によるドット状の接着で個々の種子等が固定された１枚の植生シートを形成する。【０００９】ドット状の接着の形態は、後述するが、使用する接着剤の種類、接着方法により其々異なる形態で接着一体化される。図１は熱融解性接着樹脂により作られた植生シートである。【００１０】種子等の生育には通気、及び透水性が不可欠である。そのため接着方法は通気、透水性の確保と根及び芽の成長を阻害しないためドット状の接着方法で行う。こうすることでドット状の接着部と非接着部を作ることができる。したがって、種子は非接着部分から根が地中に伸び芽が地上に伸びることが可能となる。又、接着方法は、熱融解性接着樹脂以外にもいろいろある、例えば、熱硬化性接着剤等もあるが接着剤によっては水溶性（エマルジョン型）のものが好ましい。【００１１】基材１の材質は不織布、紙、布、等であるがそれ以外でもヤシの繊維等からつくられたシートでも構わないがドット状の接着が難しい。種子が生育し基材を貫通し根が地中に伸びるためには、薄く密度が粗いものが適切である。請求項２は生分解性不織布を用いている。【００１２】被覆材３の材質は基材と略同じであるが、コストを考慮して、又、種子の発芽、生育には芽が被覆材を突破り地表に育つためには密度が粗く、強度が極めて弱い、ティシュやトイレットペーパーのような薄い紙が好ましく自然環境から水に溶け易い再生トイレット紙が良い。請求項２は水溶解性紙を用いる。【００１３】請求項２、は前述の通り施工時の強度、施工後の環境を考え、生分解性不織布の基材と水溶解性紙の被覆材から成る植生シートであり、自然循環型の植生シートである。【００１３】接着剤４は各種のものを用いることができるが種子の生育上通気、透水性の確保が必要であり、そのためドット状の接着を行うことは前述したが、熱融解性接着樹脂や熱硬化性接着剤が主に使われるが共に加熱する必要がある。しかし種子は高温に弱いため長時間の加熱ができない。したがってできるだけ低い温度でしかも短時間に接着ができることが条件である。【００１４】請求項３、は保護材５を保水、保温のため種子の生育の促進を目的して植生シート６に積層する。材質としては稲藁やヤシ等の繊維から成る植物性のものが好ましい。保護材を積層することで灌水の手間を大幅に削減することができ、保水と保温により生育を促進することができる。積層する手段としては熱融解性樹脂糸で編み加熱接着する方法やその他の糸で編み縫製等により、又、接着剤を用いても良い。
【実施例１】
【００１５】基材の不織布上に熱融解性接着樹脂をドット状に散布し、種子、肥料を一定割合で均等に蒔き（散布）、被覆材としてトイレットペーパーで全体を覆い加熱接着した。熱溶解性接着樹脂が溶け基材と被覆材をドット状に貼り合せ二層のシート内の種子等を固定した植生シートを作った。この植生シートを地面に敷設して数日間経過後発芽を確認し以後全体が短期間で均等に成長するに至った。
【実施例２】
【００１６】基材の不織布上に熱硬化性接着剤を付着させた種子、粒状の化成肥料を均等にドット状に散布して加熱乾燥を行った。基材と被覆材が種子、肥料に付着した接着剤で貼り合せ種子等を固定した植生シートを作った。敷設後の灌水によりエマルジョン型接着剤が水に溶け種子の生育に支障なく発芽し前述の（実施例１）と同様に成長した。
【産業上の利用効果】
【００１７】本発明は植生シートに関する。この植生シートは基材と被覆材をドット状の接着により均等に蒔かれた種子等を定着固定し、種子等の移動、流失を防ぎ均等に発芽を促し短期間に万遍なく地表を覆う生育を可能とするものである。又、生分解性不織布を基材として水溶解性紙を被覆材として成る植生シートは自然環境を壊さず広範囲に芝生の植生が可能で、しかも防草効果もあり景観や地表面強化の緑化工事に大きな効果が期待できる。又、地球温暖化対策としての屋上緑化として芝生栽培に適し、緑化産業上の効果は大きい。
【図面の簡単な説明】
【００１８】
【図１】請求項１の構造を示す断面図
【図２】請求項３の構造を示す断面図
【符号の説明】
【００１９】１基材
２種子等
３被覆材
４熱融解性接着樹脂
５保護材
６植生シート
【図１】
2008253244.tif 000003
【図２】
2008253244.tif 000004